【手続補正書】
【提出日】平成15年9月22日(2003.9.22)
【手続補正１】
【補正対象書類名】明細書
【補正対象項目名】全文
【補正方法】変更
【補正の内容】
【発明の名称】商品情報表示装置
【特許請求の範囲】
【請求項１】商品情報メモリに記憶されている商品ごとの商品情報の中から選択された商品情報を表示器に表示可能に形成された商品情報表示装置において、発注数量メモリに記憶されている商品別発注数量の中から設定発注数量以上の商品を抽出可能かつ前記商品情報メモリに記憶されている商品情報の中から抽出された商品に関する商品情報を選択可能に形成するとともに、選択された商品情報の前記表示器への表示時間を当該商品の発注数量に応じた長さに決定可能に形成されている商品情報表示装置。
【請求項２】商品情報メモリに記憶されている商品ごとの商品情報の中から選択された商品情報を表示器に表示可能に形成された商品情報表示装置において、商品ファイルに記憶されている商品の中から設定期間中に販売開始された新商品を抽出可能かつ前記商品情報メモリに記憶されている商品情報の中から抽出された新商品に関する商品情報を選択可能に形成するとともに、選択された商品情報の前記表示器への表示時間を当該商品の販売開始時期に応じた長さに決定可能に形成されている商品情報表示装置。
【請求項３】商品情報メモリに記憶されている商品ごとの商品情報の中から選択された商品情報を表示器に表示可能に形成された商品情報表示装置において、前記表示器を覗いている客をカメラで撮影可能かつ撮影された客の人数を当該時に表示されていた商品情報に係る商品別に分類して客人数メモリに記憶可能に形成され、客人数メモリに記憶されている客人数の中から設定客人数以上の客人数である商品を抽出可能かつ前記商品情報メモリに記憶されている商品情報の中から抽出された商品に関する商品情報を選択可能に形成するとともに、選択された商品情報の前記表示器への表示時間を当該客人数に応じた長さに決定可能に形成されている商品情報表示装置。
【請求項４】前記商品情報メモリに記憶される商品情報に機器仕様別インデックスを付して記憶可能に形成され、かつ前記商品情報メモリに記憶されている商品情報の中から当該機器の仕様に対応する商品情報を選択可能に形成されている請求項１から請求項３までのいずれか１項に記載された商品情報表示装置。
【請求項５】前記表示器が、商品登録機能，会計処理機能などを含む商品販売データ処理機能を有する商品販売データ処理装置の一部を構成しかつ商品販売データを客が確認可能に表示する客用表示器から形成されている請求項１から請求項４までのいずれか１項に記載された商品情報表示装置。
【発明の詳細な説明】
【０００１】
【発明の属する技術分野】
本発明は、商品情報メモリに記憶されている商品ごとの商品情報の中から選択された商品情報を表示器に表示可能に形成された商品情報表示装置に関する。
【０００２】
【従来の技術】
商品ごとの商品情報（例えば、静止画，動画，メッセージやこれらの組合せ等）を商品情報メモリに記憶しておき、この商品情報メモリに記憶されている商品ごとの商品情報の中から選択された商品情報を表示器に表示可能に形成された商品情報表示装置が知られている。
【０００３】
この商品情報表示装置は、商品情報の提供が商品購入対象者に見てもらうものであるから、客の購入商品についてデータ処理する電子キャッシュレジスタ（商品販売データ処理装置）と一体的乃至関連付けて構成される場合が多い。
【０００４】
例えば、図１６に示す電子キャッシュレジスタ（商品販売データ処理装置）１０と一体的な商品情報表示装置では、商品販売データを表示するための客用表示器６５に商品情報を表示可能に形成され、商品登録中の余白時間や会計処理中の待ち時間を利用して、当該客（あるいは、店舗内の他客）に商品情報（例えば、動画および音声）を提供できるように表示設定されている。
【０００５】
具体的には、予め店長等が、商品情報メモリに記憶されている複数の商品に係る商品情報の中から任意数あるいは全てを選択しかつ選択された複数の商品情報を各一定周期（例えば、半日単位，時間単位，分秒単位）で順番に切換え表示するものとされている。
【０００６】
なお、図１６中の４３はキーボード，７１はスキャナ，７６はドロワで、６１はオペレータ用表示器である。
【０００７】
【発明が解決しようとする課題】
ところで、商品情報（例えば、静止画，動画，メッセージやこれらの組合せ等）の作成に関しては、客の商品購入意欲を惹起できるように、時間的に慎重かつコスト的に大きな負担が投入されている。
【０００８】
しかし、運用の実際において、客による提供商品情報への注目度や観察程度つまり客の商品購入意欲の惹起に係る実効を客観的に捉えることは難しい。すなわち、商品情報を何時，どのように表示提供すれば能率的であるのか否か等を判断することが非常に困難である。かくして、各商品情報の表示切換え周期を店長等の経験や勘によって設定変更されているだけである。
【０００９】
本発明の目的は、客の商品購入意欲を一段と惹起可能に商品情報を表示させることができる商品情報表示装置を提供することにある。
【００１０】
【課題を解決するための手段】
請求項１の発明は、商品情報メモリに記憶されている商品ごとの商品情報の中から選択された商品情報を表示器に表示可能に形成された商品情報表示装置において、発注数量メモリに記憶されている商品別発注数量の中から設定発注数量以上の商品を抽出可能かつ前記商品情報メモリに記憶されている商品情報の中から抽出された商品に関する商品情報を選択可能に形成するとともに、選択された商品情報の前記表示器への表示時間を当該商品の発注数量に応じた長さに決定可能に形成された商品情報表示装置である。
【００１１】
かかる発明では、商品情報メモリに記憶されている商品情報に係る商品に関して、商品販売実績や納品までに必要とする日数などを勘案して決定された当該商品の発注数量が、例えば自動（あるいは、手動）で発注数量メモリに記憶される。
【００１２】
商品情報の表示対象選択に関して、まず設定発注数量をセットする。すると、発注数量メモリに記憶されている商品別発注数量の中から設定発注数量以上の商品が抽出され、さらに商品情報メモリに記憶されている商品情報の中から抽出された商品に関する商品情報が選択される。
【００１３】
つまり、発注数量から表示対象である商品情報を選択することができる。引続き、選択された商品情報の表示器への表示時間を当該商品の発注数量に応じた長さに決定する。例えば、表示時間の長さを発注数量に比例的に決定したり、段階的に区分された発注数量範囲に対応された表示時間長に決定する。そして、決定された長さの表示時間だけ、選択された商品情報を表示器に表示させることができる。
【００１４】
したがって、販売実績のある商品についての商品情報をその発注状況に応じた時間長で表示することができるから、当該商品についての客の商品購入意欲を一段と惹起せしめられる。
【００１５】
また、請求項２の発明は、商品情報メモリに記憶されている商品ごとの商品情報の中から選択された商品情報を表示器に表示可能に形成された商品情報表示装置において、商品ファイルに記憶されている商品の中から設定期間中に販売開始された新商品を抽出可能かつ前記商品情報メモリに記憶されている商品情報の中から抽出された新商品に関する商品情報を選択可能に形成するとともに、選択された商品情報の前記表示器への表示時間を当該商品の販売開始時期に応じた長さに決定可能に形成された商品情報表示装置である。
【００１６】
かかる発明では、商品情報メモリに記憶されている商品情報に係る商品に関して、新規商品として商品ファイルに当該商品データの設定登録を行う際に販売開始時期が、例えば自動（あるいは、手動）で商品ファイルに記憶される。
【００１７】
商品情報の表示対象選択に関して、まず設定期間をセットする。すると、商品ファイルに記憶されている商品の中から設定期間中に販売開始された新商品が抽出され、さらに商品情報メモリに記憶されている商品情報の中から抽出された新商品に関する商品情報が選択される。
【００１８】
つまり、販売期間を指定（設定）して表示対象である商品情報を選択することができる。引続き、選択された商品情報の表示器への表示時間を、当該商品の販売開始時期（日時）に応じた長さに決定する。例えば、表示時間の長さを設定期間内での販売開始時期（日時）の前後関係に比例的に決定［例えば、最近の販売開始時期ほど長く（短く）する。］したり、段階的に区分された販売開始時期毎に対応された表示時間長さに決定する。そして、決定された長さの表示時間だけ選択された商品情報を表示器に表示させることができる。
【００１９】
したがって、販売開始時期が相当以前である一般商品に比較して販売開始時期（日時）が最近である新商品についての商品情報をその販売開始時期に応じた時間長で表示することができるから、当該新商品についての客の商品購入意欲を一段と効率的に惹起せしめられる。請求項１の発明の場合と比較して、新商品の宣伝広告用の利用性が高い。
【００２０】
また、請求項３の発明は、商品情報メモリに記憶されている商品ごとの商品情報の中から選択された商品情報を表示器に表示可能に形成された商品情報表示装置において、前記表示器を覗いている客をカメラで撮影可能かつ撮影された客の人数を当該時に表示されていた商品情報に係る商品別に分類して客人数メモリに記憶可能に形成され、客人数メモリに記憶されている客人数の中から設定客人数以上の客人数である商品を抽出可能かつ前記商品情報メモリに記憶されている商品情報の中から抽出された商品に関する商品情報を選択可能に形成するとともに、選択された商品情報の前記表示器への表示時間を当該客人数に応じた長さに決定可能に形成された商品情報表示装置である。
【００２１】
かかる発明では、商品情報メモリに記憶されている商品情報を表示可能な表示器を覗き見ている客をカメラで撮影し、かつ撮影された客の人数が当該時に表示されていた商品情報に係る商品別に分類して客人数メモリに記憶される。
【００２２】
商品情報の表示対象選択に関して、まず設定客人数をセットする。すると、客人数メモリに記憶されている客人数の中から設定客人数以上の客人数である商品が抽出され、さらに商品情報メモリに記憶されている商品情報の中から抽出された商品に関する商品情報が選択される。
【００２３】
つまり、表示器を実際に覗き見た客人数の多少に応じて表示対象である商品情報を選択することができる。引続き、選択された商品情報の表示器への表示時間を、当該商品の客人数に応じた長さに決定する。例えば、表示時間の長さを客人数の多少に比例的に決定したり、段階的に区分された客人数範囲に対応された表示時間長に決定する。そして、決定された長さの表示時間だけ、選択された商品情報を表示器に表示させることができる。
【００２４】
したがって、商品情報を実際に見た客の人数に応じた時間長で当該商品情報を表示することができるから、客の関心が高い商品について商品購入意欲を一段と効率的に惹起せしめられる。請求項１から請求項２までの各発明の場合と比較して、客の関心度が高くかつ興味ある商品情報を優先的に表示させることができる。
【００２５】
さらに、請求項４の発明は、前記商品情報メモリに記憶される商品情報に機器仕様別インデックスを付して記憶可能に形成され、かつ前記商品情報メモリに記憶されている商品情報の中から当該機器の仕様に対応する商品情報を選択可能に形成された商品情報表示装置である。
【００２６】
かかる発明では、商品情報メモリに記憶される商品情報には、機器仕様（画面がカラーかモノクロか、何インチかなど）別のインデックスが付されている。したがって、同一商品について機器仕様別の複数の商品情報を記憶しておき、その中から当該機器の仕様に対応する商品情報を選択することができる。
【００２７】
すなわち、商品情報メモリに記憶されている商品情報の中から当該機器の仕様に対応する商品情報を選択することができるから、請求項１から請求項３までの各発明の場合と同様な作用効果を奏することができることに加え、さらに機器仕様に照らしてミスマッチである表示態様（色違い表示，一部欠損表示等）での表示を未然に回避できる。
【００２８】
さらにまた、請求項５の発明は、前記表示器が、商品登録機能，会計処理機能などを含む商品販売データ処理機能を有する商品販売データ処理装置の一部を構成しかつ商品販売データを客が確認可能に表示する客用表示器から形成された商品情報表示装置である。
【００２９】
かかる発明では、選択された商品情報が、客が商品販売データを確認可能に表示する客用表示器に表示される。したがって、請求項１から請求項４までの各発明の場合と同様な作用効果を奏することができることに加え、さらに商品販売データ処理装置に馴染んだ客に商品情報を効率よく見せることができかつ表示器を含む商品情報表示装置の具現化が容易である。
【００３０】
【発明の実施の形態】
以下、本発明の実施形態について図面を参照して説明する。
【００３１】
（第１の実施形態）
本商品情報表示装置は、図１〜図６に示す如く、基本的構成が商品販売データ処理装置（電子キャッシュレジスタ１０）と一体的に構築され、商品情報メモリ４１ＪＭに記憶されている商品ごとの商品情報の中から選択された商品情報を表示器（６５）に表示可能に形成されるとともに、さらに発注数量メモリ４１ＨＳに記憶されている商品別発注数量Ｎｉの中から設定発注数量Ｎｓ以上の商品を抽出可能かつ商品情報メモリ４１ＪＭに記憶されている商品情報の中から抽出された商品に関する商品情報を選択可能であるとともに、選択された商品情報の表示器（６５）への表示時間Ｔｉｎｄを当該商品の発注数量Ｎｉに応じた長さに決定可能に形成されている。
【００３２】
図１において、本商品情報表示装置を構成しかつ商品販売データ処理装置である電子キャッシュレジスタ１０は、標準入力装置（キーボード４３）を含むパソコン２０に、外部入出力装置を接続してなる。
【００３３】
パソコン２０は、マザーボードにＣＰＵ３１，ＲＯＭ３２，ＲＡＭ３３および時計回路（ＲＴＣ…リアルタイムクロック）３５を実装した構成の制御部３０に、ＨＤＤ（ハードディスク装置）４１，ＦＤＤ（フレキシブルディスク装置）４２，上記キーボード４３，入出力ポート（Ｉ／Ｏ）４６・４７および他の電子キャッシュレジスタ１０および各電子キャッシュレジスタ１０の一括管理機能を有する上位機（例えば、ストアコントローラ８０）とデータ通信回線網（ＬＡＮ）４５を介してデータ通信するための通信用インターフェイス（Ｉ／Ｆ）４４等を接続してなる。
【００３４】
入出力ポート４６にはその他の入力装置を形成するスキャナ（ＳＣＮ）７１およびカードリーダライタ（Ｒ／Ｗ）７３が接続され、入出力ポート４７にはプリンタ（ＰＮＴ）７５およびその他の出力装置（自動開放型のドロワ等）７６が接続されている。
【００３５】
なお、第１の実施形態を説明するための図１に便宜的に表現したカメラ１００については、第４の実施形態において説明する。
【００３６】
また、制御部３０には、表示手段６０を構成するオペレータ用表示器（ＦＩＵ）６１および客用表示器（ＢＩＵ）６５が表示用コントローラ５０を介して接続されている。また、各コントローラ（ＣＯＮＴ）を介してオペレータ用表示器（ＦＩＵ）６１に対応するタッチパネル６２および客用表示器（ＢＩＵ）６５に対応するタッチパネル６６が接続されている。
【００３７】
商品販売データを客が確認可能に表示する客用表示器（ＢＩＵ）６５は、商品販売データ処理機能（商品登録機能，会計処理機能などを含む。）を有する商品販売データ処理装置（１０）の一部を構成するとともに、商品情報表示装置（１０）における商品情報を表示させるための表示器を形成する。
【００３８】
ＨＤＤ（メモリ）４１には、商品（商品コード）ごとの商品データ（商品名，単価等）を設定記憶する商品ファイル４１Ｆ，売上データを登録（記憶）する売上ファイル４１Ｒの他に、発注数量メモリ４１ＨＳ，商品情報メモリ４１ＪＭ，選択商品情報メモリ４１ＳＭおよび発注数量別表示時間決定データファイル４１ＴＫＳが設けられている。各ファイル・メモリは、ＲＡＭ３３に展開されて使用される。
【００３９】
ここに、電子キャッシュレジスタ１０の商品販売データ処理装置としての基本的機能は、つまり商品販売データ処理機能（商品登録機能，会計処理機能等）が選択されると、プログラムファイル（ＨＤＤ４１）からアプリケーション（商品販売データ処理制御プログラム）が読み出されかつＲＡＭ３３に展開される。
【００４０】
データ入力手段（スキャナ７１，キーボード４３等）を用いた商品コードが入力されると、制御部３０が商品ファイル４１Ｆを参照して商品データを取得しかつキー入力された個数を含めたデータを売上データとして、売上ファイル４１Ｒに商品登録する。客の全購入商品について商品登録が終了した場合に１取引終了宣言としての締め操作が行われると、制御部３０が会計処理を実行する。
【００４１】
かかる商品販売データ処理（商品登録，会計処理）の実行結果は、表示手段６０（６１，６５）に表示され、プリンタ７５でレシートに印刷される。その後に、ドロワが自動開放される。
【００４２】
さて、発注数量メモリ４１ＨＳは、図２に示す如く、商品（商品コード）別の発注数量Ｎｉを記憶するもので、この実施形態では、自機（１０）または上位機（８０）で商品の発注業務をした際に自動的に記憶される。
【００４３】
商品情報メモリ４１ＪＭは、図３に示す如く、商品（商品コード）ごとの商品情報（例えば、静止画，動画，メッセージやこれらの組合せ等）を記憶するもである。なお、動画や文字情報は、他の動画ファイルやメッセージファイルに格納させておきかつそのファイル番号のみを商品情報メモリ４１ＪＭに記憶させるように形成してもよい。
【００４４】
図４に示す選択商品情報メモリ４１ＳＭは、選択（図６のＳＴ１６）された商品情報を記憶（ＳＴ１７）することができる。この実施形態では、決定（ＳＴ２０）された表示時間Ｔｉｎｄを記憶する欄が設けられている。メモリの節約と検索便宜のためである。
【００４５】
また、発注数量別表示時間決定データファイル４１ＴＫＳは、図５に示す如く、選択された商品情報の表示器（６５）への表示時間Ｔｉｎｄを当該商品の発注数量Ｎｉに応じた長さに決定するための発注数量別表示時間決定データを記憶させるファイルである。
【００４６】
この実施形態では、例えば、発注数量Ｎｉ（個）が１００，２００，３００，…の場合に、表示時間Ｔｉｎｄ（秒）を１０，２０，３０，…に決定することができる発注数量別表示時間決定データ（ＮｉとＴｉｎｄとを対応させて記憶したデータ）とされている。
【００４７】
かかる第１の実施形態では、商品情報メモリ４１ＪＭに記憶されている商品情報に係る商品に関して、商品販売実績や納品までに必要とする日数などを勘案して決定された発注数量Ｎｉが自動的に発注数量メモリ４１ＨＳに記憶される。
【００４８】
商品情報の表示対象選択に関して、まず設定発注数量Ｎｓをセットする。オペレータ用表示器６１を参照しつつキーボード４３を用いてセットする（図６のＳＴ１０でＹＥＳ）。
【００４９】
すると、判別・抽出手段（ＣＰＵ３１，ＲＯＭ３２）が、図２の発注数量メモリ４１ＨＳを参照（ＳＴ１１）して、そこに記憶されている商品別発注数量Ｎｉの中から設定発注数量Ｎｓ以上であると判別（ＳＴ１２のＹＥＳ）できた商品を抽出（ＳＴ１３）して、抽出メモリ３３Ｍに記憶（ＳＴ１３）する。発注数量メモリ４１ＨＳに記憶されている全商品について実行する（ＳＴ１４のＹＥＳ）。
【００５０】
商品情報選択手段（ＣＰＵ３１，ＲＯＭ３２）は、図３の商品情報メモリ４１ＪＭを参照（ＳＴ１５）して、そこに記憶されている商品情報の中から抽出された商品に関する商品情報を選択（ＳＴ１６）する。
【００５１】
選択された商品情報は、図４の選択商品情報メモリ４１ＳＭに記憶（ＳＴ１７）される。抽出された全商品に関して実行する（ＳＴ１８のＹＥＳ）。つまり、発注数量Ｎｉから表示対象である商品情報を選択することができる。
【００５２】
引続き、表示時間決定制御手段（ＣＰＵ３１，ＲＯＭ３２）は、図５の発注数量別表示時間決定データファイル４１ＴＫＳを参照（ＳＴ１９）して、選択（ＳＴ１６）された商品情報の表示器（６５）への表示時間Ｔｉｎｄを、当該商品の発注数量Ｎｉに応じた長さに決定（ＳＴ２０）する。選択された全商品に関して実行する（ＳＴ２１のＹＥＳ）。
【００５３】
決定された表示時間Ｔｉｎｄは、この実施形態では、図４の選択商品情報メモリ４１ＳＭに当該商品コードおよび商品情報と対応して記憶される。
【００５４】
かくして、商品情報表示制御手段（ＣＰＵ３１，ＲＯＭ３２）が、表示時間決定制御手段（３１，３２）によって決定されかつ図４の選択商品情報メモリ４１ＳＭに記憶されている決定表示時間Ｔｉｎｄだけ、選択された商品情報を表示器（６５）に表示する。
【００５５】
しかして、請求項１の発明に対応する第１の実施形態によれば、販売実績のある商品についての商品情報をその発注状況に応じた時間（Ｔｉｎｄ）長で表示することができるから、当該商品についての客の商品購入意欲を一段と惹起せしめられる。
【００５６】
また、選択された商品情報が、商品販売データを客が目視確認可能に表示するための客用表示器６５に表示されるので、商品販売データ処理装置（１０）に馴染んだ客に商品情報を効率よく見せることができかつ表示器（６５）を含む商品情報表示装置（１０）の具現化が容易である。
【００５７】
（第２の実施形態）
第２の実施形態は、基本的構成・機能が下記事項を除き第１の実施形態の場合（図１，図３，図４）と同様であるが、商品別売上数量（Ｎｉ）に応じた長さで当該商品情報を表示器（６５）に表示可能に形成してある。
【００５８】
このために、第１の実施形態に係る図２に代わる図７の売上数量メモリ４１ＵＳおよび図５に代わる図８に示す売上数量別表示時間決定データファイル４１ＴＫＵを設けてある。
【００５９】
すなわち、売上数量メモリ４１ＵＳに記憶されている商品別売上数量（Ｎｉ）の中から設定売上数量（Ｎｓ）以上の商品を抽出可能かつ商品情報メモリ４１ＪＭに記憶されている商品情報の中から抽出された商品に関する商品情報を選択可能に形成されているとともに、選択された商品情報の表示器（６５）への表示時間（Ｔｉｎｄ）を当該商品の売上数量（Ｎｉ）に応じた長さに決定可能に形成されている。
【００６０】
かくして、第１の実施形態の場合（図６）における“発注数量Ｎｉ”を“売上数量Ｎｉ”に読替えることで、第２の実施形態の作用・動作を理解することができる。
【００６１】
詳しくは、商品情報メモリ４１ＪＭに記憶されている商品情報に係る商品に関して、例えば、当日内，当日を含む１週間内あるいは当月内の売上数量Ｎｉが、自動で売上数量メモリ４１ＵＳに記憶される。
【００６２】
商品情報の表示対象選択に関して、まず設定売上数量Ｎｓをセットする。オペレータ用表示器６１を参照しつつキーボード４３を用いてセットする（図６のＳＴ１０でＹＥＳ）。
【００６３】
すると、判別・抽出手段（ＣＰＵ３１，ＲＯＭ３２）が、図７の売上数量メモリ４１ＵＳを参照（ＳＴ１１）して、そこに記憶されている商品別売上数量Ｎｉの中から設定売上数量Ｎｓ以上であると判別（ＳＴ１２のＹＥＳ）できた商品を抽出（ＳＴ１３）して、抽出メモリ３３Ｍに記憶（ＳＴ１３）する。売上数量メモリ４１ＵＳに記憶されている全商品について実行する（ＳＴ１４のＹＥＳ）。
【００６４】
次に、商品情報選択手段（ＣＰＵ３１，ＲＯＭ３２）は、図３の商品情報メモリ４１ＪＭを参照（ＳＴ１５）して、そこに記憶されている商品情報の中から抽出された商品に関する商品情報を選択（ＳＴ１６）する。
【００６５】
選択された商品情報は、図４の選択商品情報メモリ４１ＳＭに記憶（ＳＴ１７）される。抽出された全商品に関して実行する（ＳＴ１８のＹＥＳ）。つまり、売上数量Ｎｉから表示対象である商品情報を選択することができる。
【００６６】
引続き、表示時間決定制御手段（ＣＰＵ３１，ＲＯＭ３２）は、図８の売上数量別表示時間決定データファイル４１ＴＫＵを参照（ＳＴ１９）して、選択（ＳＴ１６）された商品情報の表示器（６５）への表示時間Ｔｉｎｄを、当該商品の売上数量Ｎｉに応じた長さに決定（ＳＴ２０）する。選択された全商品に関して実行する（ＳＴ２１のＹＥＳ）。
【００６７】
決定された表示時間Ｔｉｎｄは、この実施形態では、図４の選択商品情報メモリ４１ＳＭに当該商品コードおよび商品情報と対応して記憶される。
【００６８】
かくして、商品情報表示制御手段（ＣＰＵ３１，ＲＯＭ３２）が、表示時間決定制御手段（３１，３２）によって決定されかつ図４の選択商品情報メモリ４１ＳＭに記憶されている決定表示時間Ｔｉｎｄだけ、選択された商品情報を表示器（６５）に表示する。
【００６９】
しかして、この第２の実施形態によれば、売れ筋商品についての商品情報をその売上状況（売れ行き）に応じた時間長で表示することができるから、当該商品についての客の商品購入意欲を一段と惹起せしめられる。請求項１の発明に対応する第１の実施形態の場合と比較して、同一商品の表示時間長を先行して決められる。
【００７０】
（第３の実施形態）
この第３の実施形態は、基本的構成・機能が下記事項を除き第１（第２）の実施形態の場合（図１，図３，図４）と同様であるが、商品別販売開始時期（日時）に応じた長さで当該商品情報を表示器（６５）に表示可能に形成されている。
【００７１】
このために、図９に示すように商品ファイル４１Ｆに販売開始日時（時期）を設定記憶可能に形成し、さらに第１（第２）の実施形態に係る図５（図８）に代わる図１０に示す販売時期別表示時間決定データファイル４１ＴＫＴが設けられている。
【００７２】
すなわち、図９に示す商品ファイル４１Ｆに記憶されている商品の中から当該販売開始日時を手掛かりに設定期間ＴＭ中に販売開始された新商品を抽出可能かつ図３に示す商品情報メモリ４１ＪＭに記憶されている商品情報の中から抽出された新商品に関する商品情報を選択可能に形成され、選択された商品情報の表示器（６５）への表示時間（Ｔｉｎｄ）を当該商品の販売開始時期に応じた長さに決定可能に形成されている。
【００７３】
かかる構成の第３の実施形態（請求項２の発明に対応する。）では、商品情報メモリ４１ＪＭに記憶されている商品情報に係る商品に関して、新規商品として商品ファイル４１Ｆに当該商品データの設定登録を行う際に、販売開始時期が自動（あるいは手動）で当該商品ファイル４１Ｆの販売開始時期（日時）欄に記憶される。
【００７４】
商品情報の表示対象選択に関して、まず設定期間ＴＭをセットする。オペレータ用表示器６１を参照しつつキーボード４３を用いてセットする（図１１のＳＴ１０ＡでＹＥＳ）。
【００７５】
すると、判別・抽出手段（ＣＰＵ３１，ＲＯＭ３２）が、図９の商品ファイル４１Ｆを参照（ＳＴ１１Ａ）して、そこに記憶されている販売開始時期（日時）の中から設定期間ＴＭ中（内）の販売開始時期（日時）であると判別（ＳＴ１２ＡのＹＥＳ）できた商品を抽出（ＳＴ１３Ａ）して、抽出メモリ３３Ｍに記憶（ＳＴ１３Ａ）する。商品ファイル４１Ｆに記憶されている全商品について実行する（ＳＴ１４のＹＥＳ）。
【００７６】
商品情報選択手段（ＣＰＵ３１，ＲＯＭ３２）は、図３の商品情報メモリ４１ＪＭを参照（ＳＴ１５）して、そこに記憶されている商品情報の中から抽出された新商品に関する商品情報を選択（ＳＴ１６Ａ）する。選択された商品情報は、図４の選択商品情報メモリ４１ＳＭに記憶（ＳＴ１７）される。抽出された全商品に関して実行する（ＳＴ１８のＹＥＳ）。つまり、販売開始時期から表示対象である商品情報を選択することができる。
【００７７】
引続き、表示時間決定制御手段（ＣＰＵ３１，ＲＯＭ３２）は、図１０の販売時期別表示時間決定データファイル４１ＴＫＴを参照（ＳＴ１９）して、選択（ＳＴ１６Ａ）された商品情報の表示器（６５）への表示時間Ｔｉｎｄを、当該商品の販売開始時期に応じた長さに決定（ＳＴ２０Ａ）する。選択された全商品に関して実行する（ＳＴ２１のＹＥＳ）。
【００７８】
決定された表示時間Ｔｉｎｄは、この実施形態では、図４の選択商品情報メモリ４１ＳＭに当該商品コードおよび商品情報と対応して記憶される。
【００７９】
かくして、商品情報表示制御手段（ＣＰＵ３１，ＲＯＭ３２）は、図４の選択商品情報メモリ４１ＳＭに記憶されている決定された長さの表示時間Ｔｉｎｄだけ、選択された商品情報を表示器（６５）に表示する。
【００８０】
しかして、この第３の実施形態（請求項２の発明に対応する。）によれば、販売開始時期が相当以前である一般商品に比較して販売開始時期（日時）が最近である新商品についての商品情報をその販売開始時期に応じた時間長（Ｔｉｎｄ）で表示することができるから、当該新商品についての客の商品購入意欲を一段と効率的に惹起せしめられる。第１および第２の実施形態の場合と比較して、新商品の宣伝広告用の利用性が高い。
【００８１】
（第４の実施形態）
第４の実施形態は、基本的構成・機能が下記事項を除き第１の実施形態の場合（図１，図３，図４）と同様であるが、カメラ１００で撮影した客人数Ｎに応じた時間長で当該商品情報を表示器（６５）に表示可能に形成されている。
【００８２】
このために、第１の実施形態に係る図２に代わる図１２の客人数メモリ４１ＫＮおよび図５に代わる図１３の客人数別表示時間決定データファイル４１ＴＫＮが設けられている。
【００８３】
すなわち、表示器（６５）を覗き見ている客をカメラ１００で撮影可能かつ撮影された客の人数Ｎを当該時に表示されていた商品情報に係る商品別に分類して図１２の客人数メモリ４１ＫＮに記憶可能に形成され、客人数メモリ４１ＫＮに記憶されている客人数Ｎの中から設定客人数（Ｎｓ）以上の客人数である商品を抽出可能かつ商品情報メモリ４１ＫＮに記憶されている商品情報の中から抽出された商品に関する商品情報を選択可能に形成するとともに、選択された商品情報の表示器（６５）への表示時間（Ｔｉｎｄ）を当該客人数に応じた長さに決定可能に形成されている。
【００８４】
かくして、第１の実施形態の場合（図６）における“発注数量Ｎｉ”を“客人数Ｎｉ”に読替えることで、第４の実施形態の作用・動作を理解することができる。
【００８５】
詳しくは、商品情報を表示する表示器（６５）を覗き見ている客をカメラ１００で撮影できかつ撮影された客の人数Ｎを当該時に表示されていた商品情報に係る商品（商品コード）別に分類して図１２の客人数メモリ４１ＫＮに記憶される。
【００８６】
さて、商品情報の表示対象選択に関して、まず設定客人数Ｎｓをセットする。オペレータ用表示器６１を参照しつつキーボード４３を用いてセットする（図６のＳＴ１０でＹＥＳ）。
【００８７】
すると、判別・抽出手段（ＣＰＵ３１，ＲＯＭ３２）が、図１２の客人数メモリ４１ＫＮを参照（ＳＴ１１）して、そこに記憶されている客人数Ｎｉの中から設定客人数Ｎｓ以上であると判別（ＳＴ１２のＹＥＳ）できた商品を抽出（ＳＴ１３）して、抽出メモリ３３Ｍに記憶（ＳＴ１３）する。客人数メモリ４１ＫＮに記憶されている全商品について実行する（ＳＴ１４のＹＥＳ）。
【００８８】
商品情報選択手段（ＣＰＵ３１，ＲＯＭ３２）は、図３の商品情報メモリ４１ＪＭを参照（ＳＴ１５）して、そこに記憶されている商品情報の中から抽出された商品に関する商品情報を選択（ＳＴ１６）する。
【００８９】
選択された商品情報は、図４の選択商品情報メモリ４１ＳＭに記憶（ＳＴ１７）される。抽出された全商品に関して実行する（ＳＴ１８のＹＥＳ）。つまり、カメラ１００で撮影された客人数Ｎｉから表示対象である商品情報を選択することができる。
【００９０】
引続き、表示時間決定制御手段（ＣＰＵ３１，ＲＯＭ３２）は、図１３に示す客人数別表示時間決定データファイル４１ＴＫＮを参照（ＳＴ１９）して、選択（ＳＴ１６）された商品情報の表示器（６５）への表示時間Ｔｉｎｄを、当該商品に係る客人数Ｎｉに応じた長さに決定（ＳＴ２０）する。選択された全商品に関して実行する（ＳＴ２１のＹＥＳ）。
【００９１】
決定された表示時間Ｔｉｎｄは、この実施形態では、図４の選択商品情報メモリ４１ＳＭに当該商品コードおよび商品情報と対応して記憶される。
【００９２】
かくして、商品情報表示制御手段（ＣＰＵ３１，ＲＯＭ３２）が、表示時間決定制御手段（３１，３２）によって決定されかつ図４の選択商品情報メモリ４１ＳＭに記憶されている決定表示時間Ｔｉｎｄだけ、選択された商品情報を表示器（６５）に表示する。
【００９３】
しかして、請求項３の発明に対応する第４の実施形態によれば、商品情報を実際に見た客の人数Ｎに応じた時間長で当該商品情報を表示することができるから、客の関心が高い商品について商品購入意欲を一段と効率的に惹起せしめられる。第１（〜第３）の実施形態の場合と比較して、客の関心度が高くかつ興味ある商品情報を優先的に表示させることができる。
【００９４】
なお、カメラ撮影に関し、カメラ１００の電源を入れると、当該時に表示器（６５）に表示されている商品情報に係る商品（商品コード）がメモリ３３Ｍに記憶（図１４のＳＴ５０）される。
【００９５】
カメラ１００は、表示器（６５）を覗き込む（通常姿勢で見る場合等も含む。）ものを撮影（ＳＴ５１）する。そして、判定手段（ＣＰＵ３１，ＲＯＭ３２）が人物であると判定（ＳＴ５２のＹＥＳ）した場合には、人数Ｎをカウントアップ（Ｎ＝Ｎ＋１）する（ＳＴ５３）。
【００９６】
商品が切替えられた場合（ＳＴ５４のＹＥＳ）に、当該客人数Ｎを図１２の客人数メモリ４１ＫＮに記憶（ＳＴ５５）する。カウントメモリの人数Ｎはクリアされる（ＳＴ５６）。
【００９７】
（第５の実施形態）
第５の実施形態は、例えば図３に示す商品情報メモリ４１ＪＭに代えて商品情報に機器仕様別インデックスを付して記憶可能な図１５に示す機器仕様別インデックス付き商品情報メモリ４１ＳＭＩＸを設け、かつ商品情報メモリ（４１ＳＭＩＸ）に記憶されている商品情報の中から当該機器の仕様に対応する商品情報を選択可能に形成されている。
【００９８】
すなわち、図１５の商品情報メモリ（４１ＳＭＩＸ）に記憶される商品情報には、機器仕様（画面がカラーかモノクロか、何インチか、解像度や伝送速度など）別のインデックスが付されて記憶される。
【００９９】
しかして、請求項４の発明に対応するこの第５の実施形態によれば、商品情報メモリ（４１ＳＭＩＸ）に記憶されている商品情報の中から当該機器の仕様に対応する商品情報を選択することができるから、第１（〜第４）の実施形態の場合と同様な作用効果を奏することができることに加え、さらに機器仕様に照らしてミスマッチである表示態様（色違い表示，一部欠損表示等）での表示を未然に回避できる。
【０１００】
【発明の効果】
請求項１の発明によれば、発注数量メモリに記憶されている商品別発注数量の中から設定発注数量以上の商品を抽出可能かつ抽出商品に関する商品情報を選択可能で、選択商品情報の表示器への表示時間を当該商品の発注数量に応じた長さに決定可能に形成された商品情報表示装置であるから、販売実績のある商品についての商品情報をその発注状況に応じた時間長で表示することができるとともに、当該商品についての客の商品購入意欲を一段と惹起せしめられる。
【０１０１】
また、請求項２の発明によれば、商品ファイルに記憶されている商品の中から設定期間中に販売開始された新商品を抽出可能かつ抽出新商品に関する商品情報を選択可能で、選択商品情報の表示器への表示時間を当該商品の販売開始時期に応じた長さに決定可能に形成された商品情報表示装置であるから、販売開始時期が相当以前である一般商品に比較して販売開始時期（日時）が最近である新商品についての商品情報をその販売開始時期に応じた時間長で表示することができる。よって、当該新商品についての客の商品購入意欲を一段と効率的に惹起せしめられる。請求項１の発明の場合と比較して、新商品の宣伝広告用の利用性が高い。
【０１０２】
また、請求項３の発明によれば、表示器を覗いている客をカメラで撮影しその人数を当該時に表示されていた商品情報に係る商品別に分類して客人数メモリに記憶可能で、客人数メモリに記憶されている客人数の中から設定客人数以上の客人数である商品を抽出しかつ抽出された商品に関する商品情報を選択して表示器への表示時間を当該客人数に応じた長さに決定可能に形成された商品情報表示装置であるから、商品情報を実際に見た客の人数に応じた時間長で当該商品情報を表示することができる。よって、客の関心が高い商品について商品購入意欲を一段と効率的に惹起せしめられる。さらに、請求項１から請求項２までの各発明の場合と比較して、客の関心度が高くかつ興味ある商品情報を優先的に表示させることができる。
【０１０３】
さらに、請求項４の発明によれば、商品情報メモリに記憶されている商品情報の中から当該機器の仕様に対応する商品情報を選択可能に形成された商品情報表示装置であるから、商品情報メモリに記憶されている商品情報の中から当該機器の仕様に対応する商品情報を選択することができる。よって、請求項１から請求項３までの各発明の場合と同様な効果を奏することができることに加え、さらに機器仕様に照らしてミスマッチである表示態様（色違い表示，一部欠損表示等）での表示を未然に回避できる。
【０１０４】
さらにまた、請求項５の発明によれば、表示器が商品販売データ処理機能を有する商品販売データ処理装置の一部を構成しかつ商品販売データを客が確認可能に表示する客用表示器から形成されているので、請求項１から請求項４までの各発明の場合と同様な効果を奏することができることに加え、さらに商品販売データ処理装置に馴染んだ客に商品情報を効率よく見せることができかつ表示器を含む商品情報表示装置の具現化が容易である。
【図面の簡単な説明】
【図１】本発明の第１の実施形態を示すブロック図である。
【図２】同じく、発注数量メモリを説明するための図である。
【図３】同じく、商品情報メモリを説明するための図である。
【図４】同じく、選択商品情報メモリを説明するための図である。
【図５】同じく、発注数量別表示時間決定データファイルを説明するための図である。
【図６】同じく、動作を説明するためのフローチャートである。
【図７】本発明の第２の実施形態に係る売上数量メモリを説明するための図である。
【図８】同じく、売上数量別表示時間決定データファイルを説明するための図である。
【図９】本発明の第３の実施形態に係る商品ファイルを説明するための図である。
【図１０】同じく、販売時期別表示時間決定データファイルを説明するための図である。
【図１１】同じく、動作を説明するためのフローチャートである。
【図１２】本発明の第４の実施形態に係る客人数メモリを説明するための図である。
【図１３】同じく、客人数別表示時間決定データファイルを説明するための図である。
【図１４】同じく、客人数カウント記憶動作を説明するためのフローチャートである。
【図１５】本発明の第５の実施形態に係る機器仕様別インデックス付き商品情報メモリを説明するための図である。
【図１６】従来例（電子キャッシュレジスタ）を説明するための外観図である。
【符号の説明】
１０  電子キャッシュレジスタ（商品販売データ処理装置…商品情報表示装置）
２０  パソコン
３０  制御部
３３Ｍ  メモリ
３５  時計回路
４１  ＨＤＤ
４１Ｆ  商品ファイル
４１Ｒ  売上ファイル
４１ＨＳ  発注数量メモリ
４１ＪＭ  商品情報メモリ
４１ＳＭ  選択商品情報メモリ
４１ＴＫＳ  発注数量別表示時間決定データファイル
４１ＵＳ  売上数量メモリ
４１ＴＫＵ  売上数量別表示時間決定データファイル
４１ＴＫＴ  販売時期別表示時間決定データファイル
４１ＫＮ  客人数メモリ
４１ＴＫＮ  客人数別表示時間決定データファイル
４１ＳＭＩＸ  機器仕様別インデックス付き商品情報メモリ
４５  ＬＡＮ
６０  表示手段
６１  オペレータ用表示器
６５  客用表示器（表示器）
７３  カードリーダライタ
１００  カメラ